【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
撮像手段を備えた本体部に対して開閉可能に連結されたモニタ部に備えられた表示手段と、
前記モニタ部の前記本体部に対する位置を検知するモニタ位置検知手段と、
前記モニタ位置検知手段により、前記モニタ部が、前記表示手段の表示面が前記本体部と対向する閉位置から開いた位置へ変化したことが検知された場合に、直前の撮影からの経過時間が所定時間以上であれば撮影のための情報を表示し、前記直前の撮影からの経過時間が前記所定時間未満である場合は直前に撮影された最新画像を前記表示手段に表示するように制御する表示制御手段と、
を有することを特徴とする撮像装置。
【請求項２】
前記直前の撮影からの経過時間は、半押しされると撮影準備指示を行い全押しされると撮影指示を行うことができるシャッターボタンが全押しされてからの経過時間であることを特徴とする請求項１に記載の撮像装置。
【請求項３】
前記直前の撮影からの経過時間は、直前の静止画撮影の露光終了からの経過時間であることを特徴とする請求項１に記載の撮像装置。
【請求項４】
前記表示制御手段は、前記閉位置において撮影が行われていない場合には、前記表示手段の表示面が前記本体部と対向する閉位置から開いた位置へ変化したことが検知されても、前記経過時間に関わらず前記最新画像は表示しないことを特徴とする請求項１から３のいずれか１項に記載の撮像装置。
【請求項５】
前記表示制御手段は、表示手段が表示可能な状態において撮影後に自動的に撮影済み画像を表示するクイックレビュー機能がＯＮに設定されている場合には、前記最新画像の表示の開始から所定時間が経過した後に前記最新画像の表示を終了することを特徴とする請求項１から３のいずれか１項に記載の撮像装置。
【請求項６】
前記所定時間は、前記クイックレビュー機能において前記最新画像の表示時間として設定された時間であることを特徴とする請求項５に記載の撮像装置。
【請求項７】
前記表示制御手段は、表示手段が表示可能な状態において撮影後に自動的に撮影済み画像を表示するクイックレビュー機能がＯＦＦに設定されている場合には、撮影した画像を表示する再生モードに移行して前記表示を行うことを特徴とする請求項１から４のいずれか１項に記載の撮像装置。
【請求項８】
前記モニタ位置検知手段により前記モニタ部が前記本体に対して閉じた位置から開いた位置に遷移したことが検知され、かつ、前記直前の撮影からの経過時間が前記所定時間以上であった場合には、前記表示制御手段は、前記最新画像とは異なる第２の表示を行うことを特徴とする請求項１から４のいずれか１項に記載の撮像装置。
【請求項９】
前記第２の表示は、ライブビュー表示であることを特徴とする請求項８に記載の撮像装置。
【請求項１０】
前記第２の表示は、撮影設定メニュー画面の表示であることを特徴とする請求項８に記載の撮像装置。
【請求項１１】
前記表示制御手段は、前記モニタ部が半開位置にある場合には前記第２の表示として前記撮影設定メニュー画面を表示し、前記モニタ部が前記半開位置から全開位置に遷移した場合には前記撮影設定メニュー画面とは異なる第３の表示を行うことを特徴とする請求項１０に記載の撮像装置。
【請求項１２】
前記第３の表示はライブビュー表示であることを特徴とする請求項１１に記載の撮像装置。
【請求項１３】
接眼ファインダーと、前記接眼ファインダーへの物体の接近を検出する接近検知手段と、撮像手段とを備えた本体部に対して開閉可能に連結されたモニタ部に備えられた表示手段と、
前記モニタ部の前記本体部に対する位置を検知するモニタ位置検知手段と、
前記モニタ位置検知手段により、前記モニタ部が、前記表示手段の表示面が前記本体部と対向する閉位置から開いた位置へ変化したことが検知され、かつ前記接近検知手段が前記接眼ファインダーへの物体の接近を検出していない場合において、前記接近検知手段が前記接眼ファインダーに物体が接近していた状態から接近していない状態になったことが直前に検出されてからの経過時間が所定時間以上である場合には直前に撮影された最新画像を前記表示手段に表示せず、前記経過時間が前記所定時間未満であれば前記最新画像を前記表示手段に表示するように制御する表示制御手段と、
を有することを特徴とする撮像装置。
【請求項１４】
前記表示制御手段は、前記閉位置において撮影が行われていない場合には、前記表示手段の表示面が前記本体部と対向する閉位置から開いた位置へ変化したことが検知されても、前記経過時間に関わらず前記最新画像は表示しないことを特徴とする請求項１３に記載の撮像装置。
【請求項１５】
前記表示制御手段は、表示手段が表示可能な状態において撮影後に自動的に撮影済み画像を表示するクイックレビュー機能がＯＮに設定されている場合には、前記最新画像の表示の開始から所定時間が経過した後に前記最新画像の表示を終了することを特徴とする請求項１３または１４に記載の撮像装置。
【請求項１６】
前記所定時間は、前記クイックレビュー機能において前記最新画像の表示時間として設定された時間であることを特徴とする請求項１５に記載の撮像装置。
【請求項１７】
前記表示制御手段は、表示手段が表示可能な状態において撮影後に自動的に撮影済み画像を表示するクイックレビュー機能がＯＦＦに設定されている場合には、撮影した画像を表示する再生モードに移行して前記表示を行うことを特徴とする請求項１３から１６のいずれか１項に記載の撮像装置。
【請求項１８】
前記モニタ位置検知手段により前記モニタ部が前記本体に対して閉じた位置から開いた位置に遷移したことが検知され、かつ、前記直前の撮影からの経過時間が前記所定時間以上であった場合には、前記表示制御手段は、前記最新画像とは異なる第２の表示を行うことを特徴とする請求項１３から１７のいずれか１項に記載の撮像装置。
【請求項１９】
前記第２の表示は、ライブビュー表示であることを特徴とする請求項１８に記載の撮像装置。
【請求項２０】
前記第２の表示は、撮影設定メニュー画面の表示であることを特徴とする請求項１８に記載の撮像装置。
【請求項２１】
前記表示制御手段は、前記モニタ部が半開位置にある場合には前記第２の表示として前記撮影設定メニュー画面を表示し、前記モニタ部が前記半開位置から全開位置に遷移した場合には前記撮影設定メニュー画面とは異なる第３の表示を行うことを特徴とする請求項２０に記載の撮像装置。
【請求項２２】
前記第３の表示はライブビュー表示であることを特徴とする請求項２１に記載の撮像装置。
【請求項２３】
撮像手段を備えた本体部に対して開閉可能に連結されたモニタ部に備えられた表示手段を有する撮像装置の制御方法であって、
直前の撮影からの経過時間の計時を行うステップと、
前記モニタ部の前記本体部に対する位置を検知するステップと、
前記モニタ部が、前記表示手段の表示面が前記本体部と対向する閉位置から開いた位置へ変化したことが検知された場合において、直前の撮影からの経過時間が所定時間以上であれば撮影のための情報を表示し、前記直前の撮影からの経過時間が前記所定時間未満である場合は直前に撮影された最新画像を前記表示手段に表示するステップと、
を有することを特徴とする撮像装置の制御方法。
【請求項２４】
撮像手段を備えた本体部に対して開閉可能に連結されたモニタ部に備えられた表示手段と、接眼ファインダーと、を有する撮像装置の制御方法であって、
前記接眼ファインダーに物体が接近したか否かを検出するステップと、
直前の撮影からの経過時間の計時を行うステップと、
前記モニタ部の前記本体部に対する位置を検知するステップと、
前記モニタ部が、前記表示手段の表示面が前記本体部と対向する閉位置から開いた位置へ変化したことが検知され、かつ前記接眼ファインダーへの物体の接近が検出されない場合において、前記接眼ファインダーに物体が接近していた状態から接近していない状態になったことが直前に検出されてからの経過時間が所定時間以上である場合には直前に撮影された最新画像を前記表示手段に表示せず、前記経過時間が前記所定時間未満であれば前記最新画像を前記表示手段に表示するステップと、
を有することを特徴とする撮像装置の制御方法。
【請求項２５】
コンピュータを、請求項１から２２のいずれか１項に記載された撮像装置の各手段として機能させることを特徴とするプログラム。
【請求項２６】
コンピュータを、請求項１から２２のいずれか１項に記載された撮像装置の各手段として機能させるプログラムを格納したことを特徴とするコンピュータが読み取り可能な記憶媒体。
【手続補正２】
【補正対象書類名】明細書
【補正対象項目名】０００５
【補正方法】変更
【補正の内容】
【０００５】
前記課題を解決するため、本発明は、撮像手段を備えた本体部に対して開閉可能に連結されたモニタ部に備えられた表示手段と、前記モニタ部の前記本体部に対する位置を検知するモニタ位置検知手段と、前記モニタ位置検知手段により、前記モニタ部が、前記表示手段の表示面が前記本体部と対向する閉位置から開いた位置へ変化したことが検知された場合に、直前の撮影からの経過時間が所定時間以上であれば撮影のための情報を表示し、前記直前の撮影からの経過時間が前記所定時間未満である場合は直前に撮影された最新画像を前記表示手段に表示するように制御する表示制御手段と、を有することを特徴とする。